【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
ワイヤレスデバイス間で環境コンテキスト情報を共有する方法であって、
受信デバイスによってディスカバリクエリを受信することと、
１つまたは複数の要求された環境コンテキストパラメータを決定するために、前記ディスカバリクエリを復号することと、
前記受信デバイスによって、前記ディスカバリクエリに対する１つまたは複数の応答を受信することと、
前記１つまたは複数の応答を送信する少なくとも１つの応答デバイスによって提供され得る、前記要求された環境コンテキストパラメータのうちの１つまたは複数を決定するために、前記１つまたは複数の応答のうちの少なくとも１つを復号することと、
前記要求された環境コンテキストパラメータと、前記１つまたは複数の応答において示された前記環境コンテキストパラメータとに基づいて、未処理の環境コンテキストパラメータのセットを決定することと、
前記受信デバイスの環境コンテキスト能力と、前記未処理の環境コンテキストパラメータとに基づいて、前記受信デバイスによって提供され得る、前記要求された環境コンテキストパラメータを決定することと、
前記受信デバイスによって提供され得る前記環境コンテキストパラメータを示す、前記クエリに対する応答を生成することと、
前記受信デバイスによって、前記クエリに対する前記応答を送信することと、
を備える方法。
【請求項２】
前記要求された環境コンテキストパラメータは、音声、位置、識別情報、慣性運動関連情報、スペクトル分布、周囲光、環境大気圧、および周囲温度のうちの１つまたは複数を含む、請求項１に記載の方法。
【請求項３】
前記受信デバイスの電力制約に基づいて前記受信デバイスの能力を決定することをさらに備える、請求項１に記載の方法。
【請求項４】
前記要求された環境コンテキストパラメータのうちの少なくとも１つの要求されたサービス品質を決定するために、前記ディスカバリクエリを復号することをさらに備え、提供され得る環境コンテキストパラメータのサービス品質を示すために、前記クエリに対する前記応答を生成することをさらに備える、請求項１に記載の方法。
【請求項５】
提供され得る前記環境コンテキストパラメータに関連する１つまたは複数のコストを示すために、前記クエリに対する前記応答を生成することをさらに備え、関連する環境コンテキストパラメータと引き換えにユーザインターフェース上に表示されなければならない宣伝の量を表すために、前記１つまたは複数のコストのうちの少なくとも１つを生成することをさらに備える、または、関連する環境コンテキストパラメータと引き換えに提供されるべき貨幣通貨の額を表すために、前記１つまたは複数のコストのうちの少なくとも１つを生成することをさらに備える、または、関連する環境コンテキストパラメータと引き換えに提供されるべき電子サービスを表すために、前記１つまたは複数のコストのうちの少なくとも１つを生成することをさらに備え、ここにおいて、前記電子サービスが環境コンテキストパラメータを提供する、請求項１に記載の方法。
【請求項６】
ワイヤレスデバイス間で環境コンテキスト情報を共有するための装置であって、
ディスカバリクエリを受信するように構成された受信機と、
１つまたは複数の要求された環境コンテキストパラメータを決定するために、前記ディスカバリクエリを復号するように構成されたハードウェアプロセッサと、
ここにおいて、前記受信機は、前記ディスカバリクエリに対する１つまたは複数の応答を受信するようにさらに構成され、
ここにおいて、前記ハードウェアプロセッサは、前記１つまたは複数の応答を送信する少なくとも１つの応答デバイスによって提供され得る、前記要求された環境コンテキストパラメータのうちの１つまたは複数を決定するために、前記１つまたは複数の応答のうちの少なくとも１つを復号するようにさらに構成され、前記ハードウェアプロセッサは、前記要求された環境コンテキストパラメータと、前記１つまたは複数の応答において示された前記環境コンテキストパラメータとに基づいて、未処理の環境コンテキストパラメータのセットを決定し、
前記装置の環境コンテキスト能力と、前記未処理の環境コンテキストパラメータとに基づいて、前記装置によって提供され得る、前記要求された環境コンテキストパラメータを決定する、ようにさらに構成され、
ここにおいて、前記ハードウェアプロセッサは、前記要求された環境コンテキストパラメータのうちのどれが前記装置によって提供され得るかを決定するようにさらに構成され、
ここにおいて、前記ハードウェアプロセッサは、前記装置によって提供され得る前記環境コンテキストパラメータを示す、前記クエリに対する応答を生成するようにさらに構成され、
前記クエリに対する応答を送信するように構成された送信機と、ここにおいて、前記応答は、前記装置によって提供され得る前記環境コンテキストパラメータを示す、
を備える装置。
【請求項７】
ワイヤレスデバイス間で環境コンテキスト情報を共有するための装置であって、
ディスカバリクエリを受信する手段と、
１つまたは複数の要求された環境コンテキストパラメータを決定するために、前記ディスカバリクエリを復号する手段と、
前記ディスカバリクエリに対する１つまたは複数の応答を受信する手段と、
前記１つまたは複数の応答を送信する少なくとも１つの応答デバイスによって提供され得る、前記要求された環境コンテキストパラメータのうちの１つまたは複数を決定するために、前記１つまたは複数の応答を復号する手段と、
前記要求された環境コンテキストパラメータと、前記１つまたは複数の応答において示された前記環境コンテキストパラメータとに基づいて、未処理の環境コンテキストパラメータのセットを決定する手段と、
前記装置の環境コンテキスト能力と、前記未処理の環境コンテキストパラメータとに基づいて、前記装置によって提供され得る、前記要求された環境コンテキストパラメータを決定する手段と、
前記装置によって提供され得る前記１つまたは複数の要求された環境コンテキストパラメータに少なくとも一部基づいて、前記要求された環境コンテキストパラメータのうちのどれが前記装置によって提供され得るかを決定する手段と、
前記装置によって提供され得る前記環境コンテキストパラメータを示す、前記クエリに対する応答を生成する手段と、
前記クエリに対する前記応答を送信する手段と、
を備える装置。
【請求項８】
前記要求された環境コンテキストパラメータは、音声、位置、識別情報、慣性運動関連情報、スペクトル分布、周囲光、環境大気圧、および周囲温度のうちの１つまたは複数を含む、請求項７に記載の装置。
【請求項９】
前記装置の環境コンテキスト能力は前記装置の電力制約に基づく、請求項７に記載の装置。
【請求項１０】
前記要求された環境コンテキストパラメータのうちの少なくとも１つの要求されたサービス品質を決定するために、前記ディスカバリクエリを復号する手段をさらに備え、前記クエリに対する前記応答内で、前記装置によって提供され得る環境コンテキストパラメータのサービス品質を示すために、前記応答を生成する手段をさらに備える、請求項７に記載の装置。
【請求項１１】
提供され得る前記環境コンテキストパラメータに関連する１つまたは複数のコストを示すために、前記クエリに対する前記応答を生成する手段をさらに備え、関連する環境コンテキストパラメータと引き換えにユーザインターフェース上に表示されなければならない宣伝の量を表すために、前記示された１つまたは複数のコストのうちの少なくとも１つを生成するようにさらに構成される、または、関連する環境コンテキストパラメータと引き換えに提供されるべき貨幣通貨の額を表すために、前記示された１つまたは複数のコストのうちの少なくとも１つを生成するようにさらに構成される、または、関連する環境コンテキストパラメータと引き換えに提供されるべき電子サービスを表すために、前記１つまたは複数のコストのうちの少なくとも１つを生成するようにさらに構成される、ここにおいて、前記電子サービスが環境コンテキストパラメータを提供する、請求項７に記載の装置。
【請求項１２】
実行されたとき、請求項１乃至５のうちのいずれか一項に記載の方法を実行することをハードウェアプロセッサに行わせる命令を備える、コンピュータプログラム。
【手続補正２】
【補正対象書類名】明細書
【補正対象項目名】０２７５
【補正方法】変更
【補正の内容】
【０２７５】
[0299]同様に、動作は特定の順序で図面に示されているが、これは、望ましい結果を達成するために、そのような動作が、示した特定の順序でもしくは順番に実行されることを、またはすべての図示の動作が実行されることを必要とするものとして理解されるべきでない。いくつかの状況では、マルチタスキングおよび並列処理が有利であり得る。その上、上で説明した実装態様における様々なシステム構成要素の分離は、すべての実施態様においてそのような分離を必要とするものとして理解されるべきでなく、説明したプログラム構成要素およびシステムは、概して、単一のソフトウェア製品において互いに一体化されるか、または複数のソフトウェア製品にパッケージングされ得ることを理解されたい。さらに、他の実装態様が以下の特許請求の範囲内に入る。場合によっては、特許請求の範囲に記載の行為は、異なる順序で実行され、依然として望ましい結果を達成することができる。
以下に、本願出願の当初の特許請求の範囲に記載された発明を付記する。
［Ｃ１］
ワイヤレスデバイス間で環境コンテキスト情報を共有する方法であって、
受信デバイスによってディスカバリクエリを受信することと、
１つまたは複数の要求された環境コンテキストパラメータを決定するために、前記ディスカバリクエリを復号することと、
前記受信デバイスによって提供され得る前記環境コンテキストパラメータを示す、前記クエリに対する応答を生成することと、
前記受信デバイスによって、前記クエリに対する前記応答を送信することと、
を備える方法。
［Ｃ２］
前記要求された環境コンテキストパラメータは、音声、位置、識別情報、慣性運動関連情報、スペクトル分布、周囲光、環境大気圧、および周囲温度のうちの１つまたは複数を含む、Ｃ１に記載の方法。
［Ｃ３］
前記受信デバイスによって、前記ディスカバリクエリに対する１つまたは複数の応答を受信することと、
前記１つまたは複数の応答を送信する少なくとも１つの応答デバイスによって提供され得る、前記要求された環境コンテキストパラメータのうちの１つまたは複数を決定するために、前記１つまたは複数の応答のうちの少なくとも１つを復号することと、
前記要求された環境コンテキストパラメータと、前記１つまたは複数の応答において示された前記環境コンテキストパラメータとに基づいて、未処理の環境コンテキストパラメータのセットを決定することと、
前記受信デバイスの環境コンテキスト能力と、前記未処理の環境コンテキストパラメータとに基づいて、前記受信デバイスによって提供され得る、前記要求された環境コンテキストパラメータを決定することと、
をさらに備える、Ｃ１に記載の方法。
［Ｃ４］
前記受信デバイスの電力制約に基づいて前記受信デバイスの能力を決定することをさらに備える、Ｃ１に記載の方法。
［Ｃ５］
前記要求された環境コンテキストパラメータのうちの少なくとも１つの要求されたサービス品質を決定するために、前記ディスカバリクエリを復号することをさらに備える、Ｃ１に記載の方法。
［Ｃ６］
提供され得る環境コンテキストパラメータのサービス品質を示すために、前記クエリに対する前記応答を生成することをさらに備える、Ｃ５に記載の方法。
［Ｃ７］
提供され得る前記環境コンテキストパラメータに関連する１つまたは複数のコストを示すために、前記クエリに対する前記応答を生成することをさらに備える、Ｃ１に記載の方法。
［Ｃ８］
関連する環境コンテキストパラメータと引き換えにユーザインターフェース上に表示されなければならない宣伝の量を表すために、前記１つまたは複数のコストのうちの少なくとも１つを生成することをさらに備える、Ｃ７に記載の方法。
［Ｃ９］
関連する環境コンテキストパラメータと引き換えに提供されるべき貨幣通貨の額を表すために、前記１つまたは複数のコストのうちの少なくとも１つを生成することをさらに備える、Ｃ７に記載の方法。
［Ｃ１０］
関連する環境コンテキストパラメータと引き換えに提供されるべき電子サービスを表すために、前記１つまたは複数のコストのうちの少なくとも１つを生成することをさらに備える、Ｃ７に記載の方法。
［Ｃ１１］
前記電子サービスが環境コンテキストパラメータを提供する、Ｃ１０に記載の方法。
［Ｃ１２］
ワイヤレスデバイス間で環境コンテキスト情報を共有するための装置であって、
ディスカバリクエリを受信するように構成された受信機と、
１つまたは複数の要求された環境コンテキストパラメータを決定するために、前記ディスカバリクエリを復号するように構成されたハードウェアプロセッサと、
ここにおいて、前記ハードウェアプロセッサは、前記要求された環境コンテキストパラメータのうちのどれが前記装置によって提供され得るかを決定するようにさらに構成され、
ここにおいて、前記ハードウェアプロセッサは、前記装置によって提供され得る前記環境コンテキストパラメータを示す、前記クエリに対する応答を生成するようにさらに構成され、
前記クエリに対する応答を送信するように構成された送信機と、ここにおいて、前記応答は、前記装置によって提供され得る前記環境コンテキストパラメータを示す、
を備える装置。
［Ｃ１３］
前記要求された環境コンテキストパラメータは、音声、位置、識別情報、慣性運動関連情報、スペクトル分布、周囲光、環境大気圧、および周囲温度のうちの１つまたは複数を含む、Ｃ１２に記載の装置。
［Ｃ１４］
前記受信機は、前記ディスカバリクエリに対する１つまたは複数の応答を受信するようにさらに構成され、
前記ハードウェアプロセッサは、前記１つまたは複数の応答を送信する少なくとも１つの応答デバイスによって提供され得る、前記要求された環境コンテキストパラメータのうちの１つまたは複数を決定するために、前記１つまたは複数の応答のうちの少なくとも１つを復号するようにさらに構成され、
前記ハードウェアプロセッサは、前記要求された環境コンテキストパラメータと、前記１つまたは複数の応答において示された前記環境コンテキストパラメータとに基づいて、未処理の環境コンテキストパラメータのセットを決定することと、
前記装置の環境コンテキスト能力と、前記未処理の環境コンテキストパラメータとに基づいて、前記装置によって提供され得る、前記要求された環境コンテキストパラメータを決定することと、
を行うようにさらに構成される、
Ｃ１２に記載の装置。
［Ｃ１５］
前記装置の環境コンテキスト能力は前記装置の電力制約に基づく、Ｃ１４に記載の装置。
［Ｃ１６］
前記ハードウェアプロセッサは、前記要求された環境コンテキストパラメータのうちの少なくとも１つの要求されたサービス品質を決定するために、前記ディスカバリクエリを復号するようにさらに構成される、Ｃ１２に記載の装置。
［Ｃ１７］
前記ハードウェアプロセッサは、前記装置によって提供され得る環境コンテキストパラメータのサービス品質を示すために、前記クエリに対する前記応答を生成するようにさらに構成される、Ｃ１６に記載の装置。
［Ｃ１８］
前記ハードウェアプロセッサは、前記クエリに対する前記応答内で示された前記環境コンテキストパラメータに関連する１つまたは複数のコストを示すために、前記クエリに対する前記応答を生成するようにさらに構成される、Ｃ１２に記載の装置。
［Ｃ１９］
前記ハードウェアプロセッサは、関連する環境コンテキストパラメータと引き換えにユーザインターフェース上に表示されなければならない宣伝の量を表すために、前記示された１つまたは複数のコストのうちの少なくとも１つを生成するようにさらに構成される、Ｃ１８に記載の装置。
［Ｃ２０］
前記ハードウェアプロセッサは、関連する環境コンテキストパラメータと引き換えに提供されるべき貨幣通貨の額を表すために、前記示された１つまたは複数のコストのうちの少なくとも１つを生成するようにさらに構成される、Ｃ１８に記載の装置。
［Ｃ２１］
前記ハードウェアプロセッサは、関連する環境コンテキストパラメータと引き換えに提供されるべき電子サービスを表すために、前記１つまたは複数のコストのうちの少なくとも１つを生成するようにさらに構成される、Ｃ１８に記載の装置。
［Ｃ２２］
前記電子サービスが環境コンテキストパラメータを提供する、Ｃ２１に記載の装置。
［Ｃ２３］
ワイヤレスデバイス間で環境コンテキスト情報を共有するための装置であって、
ディスカバリクエリを受信する手段と、
１つまたは複数の要求された環境コンテキストパラメータを決定するために、前記ディスカバリクエリを復号する手段と、
前記装置によって提供され得る前記１つまたは複数の要求された環境コンテキストパラメータに少なくとも一部基づいて、前記要求された環境コンテキストパラメータのうちのどれが前記装置によって提供され得るかを決定する手段と、
前記装置によって提供され得る前記環境コンテキストパラメータを示す、前記クエリに対する応答を生成する手段と、
前記クエリに対する前記応答を送信する手段と、
を備える装置。
［Ｃ２４］
前記要求された環境コンテキストパラメータは、音声、位置、識別情報、慣性運動関連情報、スペクトル分布、周囲光、環境大気圧、および周囲温度のうちの１つまたは複数を含む、Ｃ２３に記載の装置。
［Ｃ２５］
前記ディスカバリクエリに対する１つまたは複数の応答を受信する手段と、
前記１つまたは複数の応答を送信する少なくとも１つの応答デバイスによって提供され得る、前記要求された環境コンテキストパラメータのうちの１つまたは複数を決定するために、前記１つまたは複数の応答を復号する手段と、
前記要求された環境コンテキストパラメータと、前記１つまたは複数の応答において示された前記環境コンテキストパラメータとに基づいて、未処理の環境コンテキストパラメータのセットを決定する手段と、
前記装置の環境コンテキスト能力と、前記未処理の環境コンテキストパラメータとに基づいて、前記装置によって提供され得る、前記要求された環境コンテキストパラメータを決定する手段と、
をさらに備える、Ｃ２３に記載の装置。
［Ｃ２６］
前記装置の環境コンテキスト能力は前記装置の電力制約に基づく、Ｃ２５に記載の装置。
［Ｃ２７］
前記要求された環境コンテキストパラメータのうちの少なくとも１つの要求されたサービス品質を決定するために、前記ディスカバリクエリを復号する手段をさらに備える、Ｃ２３に記載の装置。
［Ｃ２８］
前記クエリに対する前記応答内で、前記装置によって提供され得る環境コンテキストパラメータのサービス品質を示すために、前記応答を生成する手段をさらに備える、Ｃ２７に記載の装置。
［Ｃ２９］
提供され得る前記環境コンテキストパラメータに関連する１つまたは複数のコストを示すために、前記クエリに対する前記応答を生成する手段をさらに備える、Ｃ２３に記載の装置。
［Ｃ３０］
実行されたとき、ワイヤレスデバイス間で環境コンテキスト情報を共有する方法を実行することをハードウェアプロセッサに行わせる命令を備える、コンピュータ可読記憶媒体であって、前記方法は、
受信デバイスによってディスカバリクエリを受信することと、
１つまたは複数の要求された環境コンテキストパラメータを決定するために、前記ディスカバリクエリを復号することと、
前記受信デバイスによって提供され得る前記１つまたは複数の要求された環境コンテキストパラメータに少なくとも一部基づいて、前記要求された環境コンテキストパラメータのうちのどれが前記受信デバイスによって提供され得るかを決定することと、
前記受信デバイスによって提供され得る前記環境コンテキストパラメータを示す、前記クエリに対する応答を生成することと、
前記受信デバイスによって、前記クエリに対する前記応答を送信することと、
を備える、コンピュータ可読記憶媒体。